(57)【要約】【課題】  ＣＤ、ＤＶＤなどの光ピックアップにおいて、傾き・回転調整可能で、接着特性にも優れた光ピックアップ、及びその調整装置を提供する。【解決手段】  レンズホルダ１７に球座１７ａと壁面１７ｂを形成し、球座１７ａに接するように対物レンズ１８の鉤部１８ｂを設置することで球座１７ａを介して対物レンズ１８の位置を任意に調整し、その球座１７ａと壁面１７ｂで囲まれた領域に塗布された接着剤でレンズホルダ１７と対物レンズ１８の鉤部１８ｂを固定することにより、部品点数を増やすことなくレンズホルダ１７に対する対物レンズ１８の位置調整を可能にし、かつ鉤部１７ｂによる接着面積の増加により接着強度を増加させ、壁面１７ｂにより接着剤がレンズホルダ下端穴１７ｅに漏れこむことを防止することで光学特性を維持しつつ強固に接着することを可能にする。【選択図】図１
2006338811.tif 000002
【特許請求の範囲】
【請求項１】
光が入射される有効領域部と前記有効領域部の外側に配置された非有効領域部とを備えるレンズと、前記レンズに光を出射する光源と、前記レンズを支持する中空の支持部材と、前記レンズを透過した光を受光する受光素子とを有する光ピックアップであって、前記支持部材は内周部に延出部を有し、前記延出部と前記非有効領域部とは接着剤を介してのみで接着されたこと特徴とする光ピックアップ。
【請求項２】
レンズと、前記レンズに光を出射する光源と、前記レンズが接着された筒状の支持部材と、前記レンズを透過した光を受光する受光素子とを有する光ピックアップであって、  前記レンズは外周に少なくとも一部がＬ字型のレンズ縁部を有し、前記支持部材は前記レンズと対向する一面に凹部を有すること
を特徴とする光ピックアップ。
【請求項３】
前記レンズ縁部に形成された突起は、前記レンズの外周辺と連続すること
を特徴とする請求項２に記載の光ピックアップ。
【請求項４】
前記支持部材の凹部は、半球座状の外周部と、前記支持部材の筒の深さ方向に平行な平面状の内周部より形成されたこと
を特徴とする請求項２又は３に記載の光ピックアップ。
【請求項５】
前記支持部材の凹部内にそれぞれの角度が均等な凹部内凸部を少なくとも３つ有し、前記支持部材の接着部は前記凹部内凸部であること
を特徴とする請求項２〜４の何れか一項に記載の光ピックアップ。
【請求項６】
請求項２〜５の何れかに記載の光ピックアップと、前記光ピックアップから出射した光の光軸上に位置し入射した光を回折させることで干渉像を形成する回折手段と、前記干渉像から前記光ピックアップの特性を検出する検出手段と、前記検出手段の検出結果に基づいて前記光ピックアップを調整する調整手段を備えたこと
を特徴とする光ピックアップ調整装置。
【発明の詳細な説明】
【技術分野】
【０００１】
本発明は、光ディスク方式の高密度情報記録媒体に情報の記録、再生を行うために、高密度情報記録媒体の表面に光スポットを形成するための光ピックアップ、及びその調整装置に関するものである。
【背景技術】
【０００２】
光ピックアップとは、レーザ光源からの光をレンズにより集束させて光ディスク形式の高密度情報記録媒体の表面に当て、その反射光を受光素子へと導くための光学部品である。
【０００３】
近年、記録密度が増加した光ディスク形式の高密度情報記録媒体の光ピックアップの光源として、短波長の青色レーザなどが使用される傾向にあり、光を目的の箇所に正確かつ精密に照射するためのより高精度な光ピックアップが要求されている。
【０００４】
図１３は、従来の光ピックアップの構造を示す概略図である。以下、図１３を用いて従来の光ピックアップについて説明する。
【０００５】
光源としての半導体レーザ１から出射された光は、ビームスプリッタ２を透過した後、レンズホルダ３に設置された対物レンズ４で集束され、光ディスク５の情報面に１μｍ以下の微小なビームスポットを形成する。その後、光ディスク５の情報面から反射された光は、対物レンズ４を透過し、ビームスプリッタ２によって入射方向と直角方向に反射し、受光素子８で検出されることで、光ディスク５の情報面を読み取っている。
【０００６】
電気的あるいは磁気的な駆動手段６は、ワイヤサスペンション７を介してレンズホルダ３に接続され、光ディスク５のトラッキング、フォーカス、チルト方向にレンズホルダ３を駆動させる。これにより光ディスク５の面振れや偏心などに対し、サブミクロンオーダーで対物レンズ４が追従できるようになっている。この際、光ディスク５は１分間に数千回転もの高速で回転しているため、これに追従する対物レンズ４には数１００ｍ／ｓ2もの加速度がかかることがある。
【０００７】
このように光ピックアップは、高精度に光を光ディスク５に照射する必要があるため、レンズホルダ３にいかに精度良く対物レンズを取り付けるかが重要な要件となる。
【０００８】
従来、レンズホルダへの対物レンズの取付けでは、対物レンズの光軸方向および光軸と垂直な方向の位置決めを行えるようにレンズホルダ内に基準面を設け、その面を基準に対物レンズを接着固定する方法（特許文献１参照）や、対物レンズに取り付けた球面形状の受け座を持ったガイド部材で傾きを調整した後、レンズホルダに対してガイド部材を接着固定する方法（特許文献２参照）が用いられている。
【０００９】
以下、従来の対物レンズ取り付け構造について、図１４、図１５を用いて説明する。
【００１０】
図１４に、特許文献１に記載の対物レンズ取付け構造の断面図を示す。
【００１１】
図１４において、樹脂などの成形品であるレンズホルダ３は、対物レンズ４を挿入するための挿入穴３ａ、対物レンズ４を上下方向に保持し位置決めするための基準面である円環部３ｂ、対物レンズ４の下球面４ｂに対しレンズホルダ３が接触しないようにするための中間穴３ｃ、対物レンズ４に入射する光を対物レンズ４の有効径に絞るアパーチャ３ｄ、ビームスプリッタからの光が入射する下端穴３ｅを有している。
【００１２】
レンズ挿入穴３ａに挿入される対物レンズ４は、上球面４ａ、下球面４ｂ、その周囲に上面と下面が略平行なレンズ周縁部４ｃを有している。レンズ周縁部４ｃは、レンズのコバ部や外輪などと呼称されるが、ここではレンズ周縁部とする。
【００１３】
対物レンズ４を挿入穴３ａに挿入すると、レンズの下球面４ｂの凸部分が中間穴３ｃに入ることで光軸に垂直な面内での位置が決まり、外輪４ｃの下面が円環部３ｂの上面と面接触することで光軸に平行な面内での位置が決まる。レンズホルダ３に設けられた接着剤塗布位置３ｆに接着剤を塗布し硬化させることでレンズホルダ３に対して対物レンズ４を固定する。
【００１４】
図１５に、特許文献２に記載の対物レンズの取付け構造断面図を示す。ここで、先に示した構成要素については同じ符号を用い、説明を省略する。
【００１５】
図１５において、レンズホルダ９は、対物レンズ４の下球面４ｂに対しレンズホルダ９が接触しないようにするための中間穴９ｃ、対物レンズ４に入射する光を対物レンズ４の有効径に絞るアパーチャ９ｄ、ビームスプリッタからの光が入射する下端穴９ｅ、対物レンズ４の主点中心に回転方向に自在に支持する球面形状の下球座９ｇを有する。また、レンズホルダ９と対物レンズ４との間にはガイド部材１０が設置され、下球座９ｇと同じ球面形状を有する上球座１０ａと、対物レンズを挿入する挿入穴１０ｂを有する。
【００１６】
対物レンズ４を挿入穴１０ｂに挿入することで、ガイド部材１０の挿入穴１０ｂの上面と対物レンズ４の周縁部４ｃの下面が面接触し、ガイド部材１０に対する対物レンズ４の位置が決まる。対物レンズ４とガイド部材１０を接着固定し、一体となった対物レンズ４とガイド部材１０を球座同士が接触するようにレンズホルダ９の下球座９ｇに挿入し、レンズホルダ９に対する対物レンズ４の傾きを上下の球座を介して調整した後、レンズホルダ９とガイド部材１０を接着固定している。
【００１７】
このように従来、レンズホルダに形成された基準、もしくは対物レンズとレンズホルダの間に挿入するガイド部材に形成された基準に対して対物レンズを設置し、その位置で接着固定することでレンズホルダに対する対物レンズの取付けを行っている。
【００１８】
また、光学系において理想的な結像からのズレである収差を光学干渉で検出する方式を利用した光ピックアップ調整装置として、回折干渉計測方式を利用した光ピックアップ調整装置（特許文献３参照）がある。
【００１９】
以下、回折干渉計測方式を利用した光ピックアップ調整装置について、図１６から図１８を用いて説明する。
【００２０】
図１６は特許文献３に記載の光ピックアップ調整装置の概略図、図１７は特許文献３に記載の回折の様子を示す図であり、図１８は特許文献３に記載の干渉パターンを示す図である。ここで、先に示した構成要素については同じ符号を用い、説明を省略する。
【００２１】
図１６において、回折格子１１で回折され、検出レンズ１２で略平行光とされた対物レンズ４からの出射光は、結像レンズ１３で集束し、撮像素子１４で受像する。撮像素子１４で受像された光は、処理装置１５で解析され、光ピックアップ１６内の対物レンズ４の収差を検出する。この収差検出結果に基づき、各収差の中でコマ収差を用いて対物レンズ４の傾きを算出し、光ピックアップ１６の調整を行う。
【００２２】
光ピックアップ１６内の対物レンズ４から出射された光は、図１７に示すように回折格子１１を通過することで０次光と±１次光を生じ、検出レンズ１２上で０次光と＋１次光、そして０次光とー１次光が重なり干渉縞が生じ、撮像素子１４上で図１８に示す干渉パターンが得られる。
【特許文献１】特開平０９−０３５３１２号公報
【特許文献２】特開平０９−１２８７７９号公報
【特許文献３】特開２００１−１０８８７７号公報
【発明の開示】
【発明が解決しようとする課題】
【００２３】
次世代の高密度情報記録媒体として規格化されたＢｌｕ−ｒａｙ  Ｄｉｓｃにおいては、波長４０５ｎｍの青紫色レーザと焦点距離の短いＮＡ０．８５の高ＮＡ対物レンズを用いた高精度な光ピックアップを使用する。
【００２４】
そのため、従来の波長６３５ｎｍないし６５０ｎｍの赤色レーザとＮＡ０．６の対物レンズを用いたＤＶＤの光ピックアップと比べて、僅かなずれや誤差が発生しても光ディスクの再生、記録に大きな影響を及ぼす可能性が高い。そこで、このような次世代の高密度情報記録媒体用の対物レンズや光ピックアップには、より高い精度が求められるようになっている。
【００２５】
光ピックアップにおいて、レンズとレンズホルダの取付け部分で精度に大きく影響するのは、レンズを微小に傾き調整する機構と、レンズをレンズホルダに取付ける際の接着構造である。
【００２６】
しかしながら、図１４に示す特許文献１に記載の対物レンズ取付け構造では、レンズホルダの円環部上面と対物レンズ周縁部下面を基準に対物レンズの取付けを行い接着固定するため、レンズホルダに対する対物レンズの光軸方向の位置が一意に決定してしまい、レンズホルダに対して傾き調整をすることができないという課題を有することになる。
【００２７】
また、前記課題を解決するために、傾き調整を行なえるようにした構造としては図１５に示す特許文献２に記載の対物レンズ取り付け構造がある。しかし、高精度な次世代の高密度情報記録媒体の光ピックアップにおいては、対物レンズの高さ精度も重要であるため、レンズホルダとガイド部材の固定において両球座間に接着剤を塗布した場合、その高さ精度を得るために両球座間に塗布する接着剤の膜厚も制御しなければならない。したがって、接着剤の塗布量制御やガイド部材をレンズホルダに挿入した際の加圧の制御などが必要となり、制御が複雑になってしまうという課題を有することになる。
【００２８】
更に、接着剤は調整した部品の位置を維持したまま硬化できる扱い易さなどから紫外線硬化型接着剤が使用されること多いが、両球座間の接着剤がレンズホルダの下端穴に漏れ込み、光を一部遮断したり、光ピックアップ内の別の部品に付着したりすることで、不良品になるという課題を有することになる。
【００２９】
更に、回折干渉計測方式を利用した光ピックアップ調整装置においては、光ピックアップの精度の影響は非常に大きくなっている。
【００３０】
本発明は前記従来の課題を解決するためのものであり、新たな部品を追加することなく対物レンズの精密な位置調整を可能にし、接着固定における信頼性を維持する光ピックアップ及びその調整装置を提供することを目的とする。
【課題を解決するための手段】
【００３１】
これらの問題を解決するために本発明の光ピックアップは、レンズと、前記レンズに光を出射する光源と、前記レンズが接着された筒状の支持部材と、前記レンズを透過した光を受光する受光素子とを有する光ピックアップであって、前記レンズは外周に少なくとも一部がＬ字型のレンズ縁部を有し、前記支持部材は前記レンズと対向する一面に凹部を有することを特徴とする。
【発明の効果】
【００３２】
以上のように本発明の構成によれば、支持部材に構成された凹部で接着位置及び接着面積を調整することができ、より高精度に接着強度をコントロールすることができる。
【００３３】
また、接着剤が漏れこむことなくレンズを取付けることができるため、接着剤で接着する場合に接着剤の漏れによる光ピックアップの不良の発生を抑えることができる。
【００３４】
更にこのような構成でありながら、レンズの周縁部に突起を形成し、その突起を支持部材の凹部と接着させることで、レンズの傾き調整を行うことを可能としている。
【発明を実施するための最良の形態】
【００３５】
（実施の形態１）
以下、本発明の実施の形態１について、図１から図４を用いて説明する。
【００３６】
図１は本発明の実施の形態１における光ピックアップのレンズ取付け構造の断面図であり、図２は本発明の実施の形態１における光ピックアップのレンズ取付け構造の斜視図である。ここで、先に示した構成要素については同じ符号を用い、説明を省略する。
【００３７】
なお、先に示した構成要素のうち、対物レンズ４は、光が入射される有効領域部（図示せず）と有効領域部の外側に配置された非有効領域部（図示せず）とを備えるものであって、支持部材３は内周部に延出部を有するものとする。
【００３８】
図１において、球座１７ａは対物レンズ１８の主点あるいは集光点などの任意の点を中心として、対物レンズ１８を回転自在に保持するための球面形状を有している。壁面１７ｂは球座の下端からレンズホルダ１７上方に伸びた延出部の内壁面であり、壁面１７ｂと球座１７ａとで囲む領域内で接着剤受けとなる。ここで、壁面１７ｂの高さは球座１７ａの深さより小さい。周縁部１８ａは、対物レンズ１８の周囲に表裏面が略平行に形成される。鉤部１８ｂは対物レンズ１８の下球面１８ｄ側の周縁部１８ａから突起が形成された形状を有しておりレンズホルダ１７に取付けられた際、レンズ１８は球座１７ａに接着剤を解して接し、延出部の先端部には接しない。又、レンズホルダ１７は、対物レンズ１８の下球面１８ｄに対して開口部を有する構造となっている。
【００３９】
対物レンズ１８の周縁部１８ａに形成される突起は、対物レンズ１８の外周辺と連続するように形成すれば、機構的に余裕の少ない光ピックアップのレンズ取付け構造において、無駄なスペースを減らすことができる。
【００４０】
ここで、レンズホルダ１７と壁面１７ｂにすき間が発生する可能性を少しでも減らすために、壁面１７ｂとレンズホルダ１７が一体のものとしたが、レンズホルダ１７と壁面１７ｂが別の部材で形成された後に組み合わせたものを用いると壁面１７ｂの形成を容易に行なうことができ、また、レンズホルダ１７と壁面１７ｂを別の部材とし壁面１７ｂを下端穴１７ｅから連続した構成とすると既存のレンズホルダを用いることができる。
【００４１】
対物レンズ１８をレンズホルダ１７に挿入すると、下球面１８ｄが中間穴１７ｃに入り、対物レンズ１８の鉤部１８ｂの外周下端がレンズホルダ１７の球座１７ａに接する。
【００４２】
対物レンズ１８は機械的強度が高く、熱特性、光学特性の優れたガラス製を使用する場合と、コストが安く重量が軽いポリオレフィン系などの樹脂を使用する場合があるが、近年樹脂レンズの熱特性や光学特性の向上により、本実施の形態においてはガラス、樹脂のどちらも使用可能である。また、レンズホルダ１７は液晶ポリマーなどの樹脂成形品である。
【００４３】
図３は、本発明の実施の形態１におけるレンズホルダ球座の曲率半径を示す図である。ここで、先に示した構成要素については同じ符号を用い、説明を省略する。
【００４４】
球座１７ａは任意の回転中心を持つ球面であるが、下端穴１７ｅから入射した光が対物レンズ１８により集光される点１９（以下、集光点１９とする）を中心とした球面形状であれば、対物レンズの鉤部１８ｂの外周下端が接した状態で位置を調整した場合、集光点１９をほとんど変えることなくレンズ位置を調整することができる。
【００４５】
図４は、本発明の実施の形態１におけるレンズホルダと対物レンズの寸法を示す図である。ここで、先に示した構成要素については同じ符号を用い、説明を省略する。
【００４６】
図４において、対物レンズ１８の有効径をＤ１、対物レンズ１８の周縁部１８ａの長さをＤ２、対物レンズ１８の鉤部１８ｂの長さをＤ３、Ｄ４、鉤部１８ｂの幅をＤ５、レンズホルダ１７の壁面１７ｂの長さをＤ６、壁面１７ｂの幅をＤ７、鉤部１８ｂと壁面１７ｂの間をＤ８、壁面１７ｂとレンズの下球面との間をＤ９、開口径をＤ１０とする。この時に、対物レンズ１８の傾き調整に必要な±２°程度の傾き調整可能な構造として、球座１７ａの曲率半径が２．９ｍｍ、有効径Ｄ１が２．８ｍｍ、周縁部１８ａの長さＤ２が０．５±０．２ｍｍ、鉤部１８ｂの長さＤ３が０．５６ｍｍ、Ｄ４が０．３±０．２ｍｍ、鉤部１８ｂの幅Ｄ５が１．４±０．２ｍｍ、壁面１７ｂの長さＤ６が０．４±０．２ｍｍ、壁面１７ｂの幅Ｄ７が１．２±０．２ｍｍ、Ｄ８が１．２ｍｍ、Ｄ９が１．２ｍｍ、開口径Ｄ１０が１５．２＋０．２ｍｍの構造が挙げられる。
【００４７】
以下に、本発明の実施の形態１におけるレンズホルダ１７に対する対物レンズ１８の位置決めと固定方法について説明する。
【００４８】
レンズホルダ１７に対する対物レンズ１８の位置を調整した後、球座１７ａと壁面１７ｂで囲まれる領域に接着剤を塗布して、鉤部１８ｂ一部あるいは全体を接着剤で固定する。使用する接着剤は調整した部品の位置を維持したまま短時間に硬化でき、かつ扱い易さいという特性を持つ点等を考慮して、紫外線硬化型接着剤が使用される。その中でも硬化収縮や熱膨張などによるレンズへの歪み応力が低い接着剤、例えばアクリル系の紫外線硬化型接着剤を使用すると良好である。
【００４９】
また、接着剤を塗布するタイミングは球座１７ａと壁面１７ｂで囲まれる領域にレンズホルダ１７に対物レンズ１８を挿入する前にあらかじめ塗布することも可能である。これによりレンズの鉤部１８ｂの内周側にも接着剤が回り込むため、より強固に接着することが可能である。
【００５０】
また、内側へ回り込んだ接着剤は対物レンズ１８の周縁部１８ａが透明部材である場合は紫外線が透過し問題なく硬化することができる。接着剤をあらかじめ塗布した状態で対物レンズ１８の位置を調整しても、壁面１７ｂにより接着剤はレンズホルダ１７の中間穴１７ｃあるいは下端穴１７ｅへ漏れこむことはない。
【００５１】
以上、説明したように本発明の実施の形態１によれば、レンズホルダ１７に球座１７ａと壁面１７ｂを有し、球座１７ａに対物レンズ１８の周縁部１８ａに設けられた鉤部１８ｂの外径下端が接することで構成部品を増やすことなく対物レンズ１８の位置を調整することができる。さらに球座１７ａと壁面１７ｂで囲まれた領域に塗布された接着剤により対物レンズ１８の鉤部１８ｂを固定することで、接着剤がレンズホルダ１７の下端穴１７ｅに漏れこむことなく、強固に固定することが可能となる。
【００５２】
なお、下端穴１８ｂで対物レンズ１８に入射する光の有効系を絞る構造とすると、アパーチャ１７ｄが不要とすることができる。
【００５３】
なお、対物レンズ１８の鉤部１８ｂにテーパ部を設けると、より容易に対物レンズ１８の傾き調整を行なうことができる。
【００５４】
なお、本発明の実施の形態１で球座１７ａの代わりに内周部と外周部のどちらにも壁面を用いて接着剤だまりを設けると対物レンズ１８の傾き調整を行なうことは困難になるが、本発明の実施の形態１の構造よりも簡単な構造で接着強度をコントロールすることが可能となる。
【００５５】
なお、本発明の実施の形態１で壁面１７ｂの代わりに内周部と外周部のどちらにも球座を設けて接着剤だまりを設けるとレンズホルダ１７の下端穴１７ｅは小さくなるが、対物レンズ１８の傾き調整を行なうことが容易となる。
【００５６】
（実施の形態２）
以下、本発明の実施の形態２について、図５から図７を用いて説明する。
【００５７】
図５は本発明の実施の形態２における光ピックアップのレンズ取付け構造の斜視図であり、図６は対物レンズ１８を図５のＡから見た、本発明の実施の形態２におけるレンズホルダ２１の上面図である。また、図７は、図６のＢＯＢ’での断面であり、本発明の実施の形態２における光ピックアップのレンズ取付け構造のＢＯＢ’断面図である。ここで、先に示した構成要素については同じ符号を用い、説明を省略する。
【００５８】
実施の形態２において、レンズホルダ２０は、レンズホルダ２０に壁面２０ｂ、中間穴２０ｃ、アパーチャ２０ｄ、下端穴２０ｅを有し、実施の形態１において球座だった部分に溝部２０ｆと溝内球座２０ａを有する。この溝部２０ｆは、対物レンズ１８を挿入する穴の中心に対して、溝内球座２０ａと同一円周上で、溝内球座２０ａの下端部よりも低い位置に底辺を持ち、接着剤逃げ部としての機能を有する。
【００５９】
以下に、本発明の実施の形態２におけるレンズホルダ２０に対する対物レンズ１８の位置決めと固定方法について説明する。
【００６０】
あらかじめレンズホルダ２０の溝内球座２０ａと壁面２０ｂで囲まれる領域に所定量の接着剤を塗布する。その後、対物レンズ１８をレンズホルダ２０に挿入すると、下球面１８ｄが中間穴２０ｃに入り、対物レンズ１８の鉤部１８ｂの外周下端がレンズホルダ２０の溝内球座２０ａに接する。この際、塗布してあった接着剤のうち余分なものは溝部２０ｆに流れ込む。この溝部２０ｆにより、余分な接着剤が溝内球座２０ａに不均一に回り込むことを防ぐことができるため、固定に作用する接着剤は球座２０ａと鉤部１８ｂが接する部分に残っている接着剤だけとなる。これにより、本発明の実施の形態１と比べて、より安定した接着条件を作ることができる。その後、レンズホルダ２０に対する対物レンズ１８の鉤部１８ｂの外周下端が接した状態で調整した後、塗布してあった接着剤を硬化してレンズホルダ２０に対して対物レンズ１８を固定する。接着剤を塗布するタイミングは本発明の実施の形態１に記述したとおり対物レンズ１８の位置を調整した後でも可能であるが、あらかじめ塗布しておくことが望ましい。
【００６１】
以上説明したように、本発明の実施の形態２によれば、レンズホルダ２０に溝内球座２０ａと壁面２０ｂを有し、溝内球座２０ａに対物レンズ１８の周縁部１８ａに設けられた鉤部１８ｂの外径下端が接することで構成部品を増やすことなく対物レンズ１８の位置を調整することができ、さらに溝内球座２０ａと壁面２０ｂで囲まれた領域に塗布された接着剤のうち余分な接着剤は溝部２０ｆに逃がすことでより安定した接着条件で対物レンズ１８の鉤部１８ｂを固定することができ、接着剤が下端穴２０ｅに漏れこむことなく、強固に固定することが可能となる。
【００６２】
なお、加工をするのが困難であるが、レンズホルダ２０ではなく対物レンズ１８に接着剤逃げを設けることにより、より強固に接着をすることも可能である。
【００６３】
なお、本実施の形態２において溝内球座２０ａの個数を４個としてあるが、溝球座２０ａの数は対物レンズ１８を安定して支持することが可能となる３個以上であればよいことは言うまでもない。
【００６４】
なお、複数の溝内球座２０ａ間の角度は、均一であればよいことは言うまでもない。
【００６５】
（実施の形態３）
以下、本発明の実施の形態３について、図８、９を用いて説明する。
【００６６】
図８は本発明の実施の形態３における光ピックアップのレンズ取付け構造の斜視図であり、図９は本発明の実施の形態３における光ピックアップのレンズ取付け構造の断面図である。ここで、先に示した構成要素については同じ符号を用い、説明を省略する。
【００６７】
本発明の実施の形態３において、実施の形態１と異なるのは、レンズホルダ１７と対物レンズ４の間に中間部材２１を有することである。中間部材２１は、対物レンズ４を挿入する挿入穴２１ａ、挿入された対物レンズ４の周縁部４ｃと接する円環部２１ｂ、レンズホルダ１７の球座１７ａと接する鉤部２１ｃ、対物レンズ４の下球面４ｂが挿入される円筒部２１ｄを有する。
【００６８】
以下に、本発明の実施の形態３における位置決めと固定方法について説明する。
【００６９】
中間部材２１のレンズ挿入穴２１ａに対物レンズ４を挿入すると、レンズの下球面４ｂの凸部分は円筒部２１ｄに入ることで光軸に垂直な面内での位置が決まり、周縁部４ｃの下面が、円環部２１ｂの上面と面接触し、中間部材２１に対する対物レンズ４の上下方向の位置が決まる。その後、対物レンズ４と中間部材２１を接着固定する。
【００７０】
これにより一体となった中間部材２１と対物レンズ４を、本発明の実施の形態１と同様に位置決めを行い、固定することができる。
【００７１】
ここで、中間部材２１の材質はレンズ４で使用されている材料と同一材料であることが望ましい。これは、光を透過する対物レンズ２１と同一材料にすることにより、レンズホルダ１７に対して中間部材２１を固定する際に接着剤を硬化させるために使用する紫外線が中間部材２１を透過することができ、また、同一材料のため熱膨張などの機械的な性質に起因する位置ズレなどが発生しにくいからである。
【００７２】
次に、接着剤をあらかじめレンズホルダ１７の球座１７ａと壁面１７ｂで囲まれる領域に所定量を塗布する。一体になった対物レンズ１７と中間部材２１をレンズホルダ１７に挿入すると、円筒部２１ｄが中間穴１７ｃに入り、中間部材２１の鉤部２１ｃの外周下端がレンズホルダ１７の球座１７ａに接する。その後、レンズホルダ１７に対する中間部材２１の鉤部２１ｃの外周下端が接した状態で調整した後、塗布してあった接着剤を硬化してレンズホルダ１７に対して中間部材２１を固定する。接着剤を塗布するタイミングは本発明の実施の形態１に記述したとおり対物レンズ４の位置を調整した後でも可能であるが、あらかじめ塗布しておくことが望ましい。
【００７３】
また、本発明の実施の形態２と同様にレンズホルダに接着剤逃げ部となる溝部を形成しておけば、塗布してあった接着剤のうち余分なものは溝部に流れ込む。溝部により余分な接着剤が球座に不均一に回り込むことを防ぐことができ、固定に作用する接着剤は残っている接着剤となるのでより安定した接着条件を作ることができる。
【００７４】
以上、説明したように本発明の実施の形態３によれば、レンズホルダ１７に球座１７ａと壁面１７ｂを有し、その球座１７ａに対し、中間部材２１に設けられた鉤部２１ｃの外径下端が接することで対物レンズ４の位置を調整することができ、さらに中間部材２１の円筒部２１ｄの下端に他の部材を取付けることでレンズホルダ１７の姿勢を変化させることなく、他の部材の位置調整を行うことが可能となる。
【００７５】
（実施の形態４）
以下、本発明の実施の形態４について、図１０、図１１を用いて説明する。
【００７６】
図１０は、本発明の実施の形態４における光ピックアップのレンズ取付け構造の断面図であり、図１１は、本発明の実施の形態４における光ピックアップの構造を示す概略図である。ここで、先に示した構成要素については同じ符号を用い、説明を省略する。
【００７７】
実施の形態４において、実施の形態３と異なるのは、中間部材２１の円筒部２１ｄの下端を対物レンズ４の下球面４ｂより下に伸ばし、円筒部２１ｄの下端にホログラム２２を取付けたことである。
【００７８】
実施の形態４は、中間部材２１ごとホログラム２２を回転させることにより、レンズホルダ１７の姿勢を変化させることなくホログラム２２を回転させることができ、光ピックアップの受光素子８へ入射する光の光量を変化させることが可能となる。
【００７９】
これにより、ホログラム２２を回転させる調整において、レンズホルダ１７の姿勢が変化しないため、より安定した調整を行なうことが可能となる。
【００８０】
なお、実施の形態４においては、中間部材２１の円筒部２１ｄの下端にはホログラム２２を取付けたが、用途に応じてホログラム２２の代わりに他の光学部品を用いても良い。
【００８１】
（実施の形態５）
以下、本発明の実施の形態５について、図１２を用いて説明する。
【００８２】
図１２は本発明の実施の形態５における光ピックアップ調整装置の概略図である。ここで、先に示した構成要素については同じ符号を用い、説明を省略する。
【００８３】
図１２に示す装置は、図１６に示す光ピックアップ調整装置を、それぞれ実施の形態１から実施の形態４に示す光ピックアップのレンズ取付け構造に置き換えたものである。
【００８４】
ここでは、実施の形態１のレンズホルダ１７を用いた場合のレンズホルダ１７に対する対物レンズ１８の位置決めと固定方法について説明する。
【００８５】
あらかじめレンズホルダ１７の球座１７ａと壁面１７ｂで囲まれる領域に所定量の接着剤を塗布する。対物レンズ１８をレンズホルダ１７に挿入すると、下球面１８ｄが中間穴１７ｃに入り、対物レンズ１８の鉤部１８ｂの外周下端がレンズホルダ１７の球座１７ａに接する。このときのレンズホルダ１７に対する対物レンズ１８の傾きを検出して調整を行う。対物レンズ１８の傾き検出は対物レンズ１８の光学特性であるコマ収差を検出することにより行う。そのコマ収差の検出は光学干渉を用いた回折干渉計測方式により行う。
【００８６】
レンズホルダ１７に対する対物レンズ１８の位置を調整した後、塗布してあった接着剤を硬化してレンズホルダ１７に対して対物レンズ１８を固定する。接着剤を塗布するタイミングは本発明の実施の形態１に記述したとおり対物レンズ１８の位置を調整した後でも可能であるが、あらかじめ塗布しておくことが望ましい。
【００８７】
以上、説明したように本発明の実施の形態５によれば、前述したようにレンズホルダ１７と対物レンズ１８が強固もしくは安定に接着され、また、不良の少ないレンズホルダを用いることが可能となるため、高精度に対物レンズ１８の傾きを検出し、調整することが可能となる。
【産業上の利用可能性】
【００８８】
本発明の光ピックアップ、及びその調整装置は、部品点数を増やすことなくレンズホルダに対するレンズの位置を調整することを可能とし、さらに接着強度を増加、レンズホルダ下端穴に漏れこむことを防止するという効果を有することで、光学特性を維持しつつ強固に固定することを可能にしている。そのため、光学ディスクドライブなどに搭載される光ピックアップのレンズ取付け構造だけでなく、ＤＳＣ等のレンズホルダにレンズを取付ける構造を有する機器にも適用できる。
【図面の簡単な説明】
【００８９】
【図１】本発明の実施の形態１における光ピックアップのレンズ取付け構造の断面図
【図２】本発明の実施の形態１における光ピックアップのレンズ取付け構造の斜視図
【図３】本発明の実施の形態１におけるレンズホルダ球座の曲率半径を示す図
【図４】本発明の実施の形態１におけるレンズホルダと対物レンズの関係を示す図
【図５】本発明の実施の形態２における光ピックアップのレンズ取付け構造の斜視図
【図６】本発明の実施の形態２におけるレンズホルダの上面図
【図７】本発明の実施の形態２における光ピックアップのレンズ取付け構造のＢＯＢ’断面図
【図８】本発明の実施の形態３における光ピックアップのレンズ取付け構造の斜視図
【図９】本発明の実施の形態３における光ピックアップのレンズ取付け構造の断面図
【図１０】本発明の実施の形態４における光ピックアップのレンズ取付け構造の断面図
【図１１】本発明の実施の形態４における光ピックアップのレンズ取付け構造を示す概略図
【図１２】本発明の実施の形態５における光ピックアップ調整装置の概略図
【図１３】従来の光ピックアップの構造を示す概略図
【図１４】特許文献１に記載の対物レンズ取付け構造の断面図
【図１５】特許文献２に記載の対物レンズ取付け構造の断面図
【図１６】特許文献３に記載の光ピックアップ調整装置の概略図
【図１７】特許文献３に記載の回折の様子を示す図
【図１８】特許文献３に記載の干渉パターンを示す図
【符号の説明】
【００９０】
１７      レンズホルダ
１７ａ    球座
１７ｂ    壁面
１７ｃ    中間穴
１７ｄ    アパーチャ
１７ｅ    下端穴
１８      対物レンズ
１８ａ    周縁部
１８ｂ    鉤部
１８ｃ    上球面
１８ｄ    下球面
【図１】
2006338811.tif 000003
【図２】
2006338811.tif 000004
【図３】
2006338811.tif 000005
【図４】
2006338811.tif 000006
【図５】
2006338811.tif 000007
【図６】
2006338811.tif 000008
【図７】
2006338811.tif 000009
【図８】
2006338811.tif 000010
【図９】
2006338811.tif 000011
【図１０】
2006338811.tif 000012
【図１１】
2006338811.tif 000013
【図１２】
2006338811.tif 000014
【図１３】
2006338811.tif 000015
【図１４】
2006338811.tif 000016
【図１５】
2006338811.tif 000017
【図１６】
2006338811.tif 000018
【図１７】
2006338811.tif 000019
【図１８】
2006338811.tif 000020